(57)【要約】【課題】ＬＥＤ等の発光素子と導光棒を簡単に精度良く配置できるようにする。【解決手段】組立灯具１が、導光棒本体１１と、導光棒本体１１の外周面から突出した抜け止め１５，１６と、ブラケット本体３１と、ブラケット本体３１に形成された保持孔３４と、保持孔３４の内周面に形成されたノッチ３５，３６と、ブラケット本体３１に形成されたストッパ３７，３８と、基板６２と、基板６２に実装された発光素子６１と、を備え、基板６２がブラケット本体３１に組み付けられ、導光棒本体１１が保持孔３４に通され、抜け止め１６，１７が保持孔３４の縁から周方向外方へ突き出てブラケット本体３１に引っ掛かり、抜け止め１５とストッパ３７が周方向に隣接し、抜け止め１５とストッパ３７が互いに当接し、抜け止め１６とストッパ３８が周方向に隣接し、抜け止め１６とストッパ３８が互いに当接する。【選択図】図１
2016009606.tif 000002
【特許請求の範囲】
【請求項１】
ブラケットと、そのブラケットに組み付けられた導光棒と、そのブラケットに組み付けられた光源モジュールと、を備え、
導光棒が、
導光棒本体と、
前記導光棒本体の外周面から突出した第一抜け止めと、
前記第一抜け止めから周方向に離れた位置において前記導光棒本体の外周面から突出した第二抜け止めと、を有し、
ブラケットが、
ブラケット本体と、
ブラケット本体に形成された保持孔と、
前記保持孔の内周面から外方へ切り欠いた第一ノッチと、
前記第一ノッチから周方向に離れた位置において前記保持孔の内周面から外方へ切り欠いた第二ノッチと、
前記保持孔の周囲のうち前記第一ノッチから周方向に沿って離れた位置において前記ブラケット本体から突出した第一ストッパと、
前記第一ストッパが前記第一ストッパから離れる向きと同一の向きに離れた位置において前記ブラケット本体から突出した第二ストッパと、を有し、
光源モジュールが、
基板と、
前記基板に実装された発光素子と、を有し、
前記基板が前記ブラケット本体に組み付けられて、前記発光素子が前記保持孔の縁の内側に配置され、
前記導光棒本体が前記保持孔に通されて、前記第一抜け止め及び前記第二抜け止めが前記保持孔の縁から周方向外方へ突き出て前記ブラケット本体に引っ掛かり、
前記第一抜け止め及び前記第二抜け止めが周方向に沿って前記第一ストッパと前記第二ストッパとの間に配置され、
前記第一抜け止めと前記第一ストッパが周方向に隣接して、前記第一抜け止めと前記第一ストッパが互いに当接し、
前記第二抜け止めと前記第二ストッパが周方向に隣接して、前記第二抜け止めと前記第二ストッパが互いに当接する
ことを特徴とする組立灯具。
【発明の詳細な説明】
【技術分野】
【０００１】
本発明は、組立灯具に関する。
【背景技術】
【０００２】
特許文献１には、導光棒を用いた車両用灯具が開示されている。その導光棒はハウジングの内側に収容され、更にエクステンションがそのハウジングの内側に収容され、導光棒及びＬＥＤがそのエクステンションの裏側に配置されている。ＬＥＤが導光棒の端面に対向し、ＬＥＤによって発せられた光が導光棒の端面に入射する。その光が導光棒によって軸方向にガイドされ、その導光棒の周面から出射した光がエクステンションの透明部分を前方へ通過する。
【先行技術文献】
【特許文献】
【０００３】
【特許文献１】特開２０１３−１７１７９５号公報
【発明の概要】
【発明が解決しようとする課題】
【０００４】
ところで、ＬＥＤと導光棒は設計通りの位置に配置されることが好ましい。ＬＥＤ或いは導光棒が設計通りの位置からずれてしまうと、導光棒から出射される光の配光が設計通りにならないためである。
ところが、車両用灯具の組立誤差や加工誤差があるために、ＬＥＤと導光棒を精度良く配置することが難しいことがある。例えば、ＬＥＤが基板に実装され、その基板がブラケットを介してハウジングに組み付けられ、導光棒が別のブラケットを介してハウジングに組み付けられると、ＬＥＤと導光棒を精度良く配置することが難しい。
そこで、本発明が解決しようとする課題は、ＬＥＤ等の発光素子と導光棒を簡単に精度良く配置できるようにすることである。
【課題を解決するための手段】
【０００５】
以上の課題を解決するべく、請求項１に係る発明は、ブラケットと、そのブラケットに組み付けられた導光棒と、そのブラケットに組み付けられた光源モジュールと、を備え、導光棒が、導光棒本体と、前記導光棒本体の外周面から突出した第一抜け止めと、前記第一抜け止めから周方向に離れた位置において前記導光棒本体の外周面から突出した第二抜け止めと、を有し、ブラケットが、ブラケット本体と、ブラケット本体に形成された保持孔と、前記保持孔の内周面から外方へ切り欠いた第一ノッチと、前記第一ノッチから周方向に離れた位置において前記保持孔の内周面から外方へ切り欠いた第二ノッチと、前記保持孔の周囲のうち前記第一ノッチから周方向に沿って離れた位置において前記ブラケット本体から突出した第一ストッパと、前記第一ストッパが前記第一ストッパから離れる向きと同一の向きに離れた位置において前記ブラケット本体から突出した第二ストッパと、を有し、光源モジュールが、基板と、前記基板に実装された発光素子と、を有し、前記基板が前記ブラケット本体に組み付けられて、前記発光素子が前記保持孔の縁の内側に配置され、前記導光棒本体が前記保持孔に通されて、前記第一抜け止め及び前記第二抜け止めが前記保持孔の縁から周方向外方へ突き出て前記ブラケット本体に引っ掛かり、前記第一抜け止め及び前記第二抜け止めが周方向に沿って前記第一ストッパと前記第二ストッパとの間に配置され、前記第一抜け止めと前記第一ストッパが周方向に隣接して、前記第一抜け止めと前記第一ストッパが互いに当接し、前記第二抜け止めと前記第二ストッパが周方向に隣接して、前記第二抜け止めと前記第二ストッパが互いに当接することを特徴とする組立灯具である。
【発明の効果】
【０００６】
本発明によれば、光源モジュールと導光棒が同一のブラケットに組み付けられているので、加工誤差及び組立誤差を最小限に抑えることができる。よって、組立灯具の配光を設計通りにすることができる。
また、導光棒本体を保持孔に差し込んで、導光棒本体を回転させるだけで、導光棒を簡単にブラケットに組み付けることができる。
【図面の簡単な説明】
【０００７】
【図１】組立灯具の斜視図である。
【図２】組立灯具の要部の斜視図である。
【図３】組立灯具の導光棒の軸方向に向かって見た上面図である。
【図４】組立灯具を用いた車両用灯具の斜視図である。
【発明を実施するための形態】
【０００８】
以下に、本発明を実施するための形態について図面を用いて説明する。但し、以下に述べる実施形態には、本発明を実施するために技術的に好ましい種々の限定が付されているので、本発明の技術的範囲を以下の実施形態及び図示例に限定するものではない。
【０００９】
図１は組立灯具１の斜視図である。この組立灯具１はアセンブリー（組立品）であり、特にサブアセンブリーである。つまり、この組立灯具１を他の部品に組み付けて、この組立灯具１及び他の部品からなる車両用灯具が組み立てられる。その車両用灯具は、例えばリアコンビネーションランプ（複数種類の信号灯が複合されたもの）又は複合型ヘッドランプ（走行用前照灯若しくはすれ違い用前照灯又はこれらの両方と、一種類又は複数種類の信号灯とが複合されたもの）である。
【００１０】
この組立灯具１の構成部品は導光棒１０、ブラケット３０及び光源モジュール６０である。ブラケット３０に導光棒１０及び光源モジュール６０が組み付けられて、組立灯具１が組み立てられる。
【００１１】
光源モジュール６０は発光素子６１及び基板６２を有する。発光素子６１が基板６２上に表面実装されている。発光素子６１は発光ダイオード（ＬＥＤ）又は有機発光ダイオード（ＯＬＥＤ）である。
【００１２】
基板６２には２つの位置決め穴６３，６３と２つの通孔６４，６４が形成され、位置決め穴６３，６３及び通孔６４，６４が基板６２の一方の面から他方の面に貫通する。基板６２に対して直交する方向に向かって見て、位置決め穴６３，６３を結ぶ線は通孔６４，６４を結ぶ線と交差する。
【００１３】
図２は組立灯具１の一部の拡大図である。図３は導光棒１０の軸方向に向かって見た上面図である。図１〜図３に示すように、ブラケット３０はブラケット本体３１、位置決め突起３２，３２、保持孔３４、ノッチ３５，３６及びストッパ３７，３８を有する。
【００１４】
ブラケット本体３１の上面には、２つの位置決め突起３２，３２が凸状に設けられている。また、ブラケット本体３１の上面には２つの雌ネジが設けられている。位置決め突起３２，３２がそれぞれ位置決め穴６３，６３に挿入されることによって、基板６２及び発光素子６１の位置が定まり、通孔６４，６４が雌ネジにそれぞれ重なる。そして、締結ネジ６５，６５が通孔６４，６４に通され雌ネジに締められ、それら締結ネジ６５，６５によって基板６２がブラケット本体３１の上面に締め付けられる。なお、ブラケット本体３１の上面は、必ずしも鉛直方向を向いているわけではなく、重力の方向と組立灯具１の向きは適宜変更することができる。
【００１５】
ブラケット本体３１には、導光棒本体１１を保持するための保持孔３４が形成されている。具体的には、保持孔３４がブラケット本体３１の上板３３を上下に貫通する。保持孔３４は円孔又はそれに近似した形状に設けられている。光源モジュール６０がブラケット本体３１に取り付けられた状態では、発光素子６１が保持孔３４の縁の内側に配置されている。より具体的には、発光素子６１が保持孔３４の中心線上に配置される。
【００１６】
保持孔３４の内周面には、２つの矩形状ノッチ３５，３６が形成されている。ノッチ３５，３６は保持孔３４の内周面から径方向外方へ切り欠かれている。また、第二ノッチ３６は第一ノッチ３５から保持孔３４の周方向に沿って離れている。
【００１７】
保持孔３４の周囲には、ストッパ３７，３８が配置されている。このストッパ３７，３８はブラケット本体３１の上板３３の上面に形成されているとともに、その上板３３の上面から突出する。ストッパ３７，３８は保持孔３４の周方向に沿って離れている。第一ストッパ３７が第一ノッチ３５から保持孔３４の周方向に沿って離れており、第二ストッパ３８が第二ノッチ３６から保持孔３４の周方向に沿って離れている。第一ストッパ３７が第一ノッチ３５から離れる周方向の向きと、第二ストッパ３８が第二ノッチ３６から離れる周方向の向きは同じである。つまり、図３に示すように、第一ストッパ３７が第一ノッチ３５から時計回りに離れているとともに、第二ストッパ３８が第二ノッチ３６から時計回りに離れている。
【００１８】
第一ストッパ３７の上面には、ブラケット本体３１の上板３３の上面に対して傾斜する傾斜面３７ｃが形成されている。この傾斜面３７ｃは、ブラケット本体３１の上板３３の上面を基準として第一ノッチ３５側へ向くように傾斜する。つまり、傾斜面３７ｃは、ブラケット本体３１の上板３３の上面を基準として、第一ノッチ３５から周方向に沿って離れる方向へ上りに傾斜する。
【００１９】
導光棒１０は導光棒本体１１及び抜け止め１５，１６を有する。導光棒本体１１が透明材からなるとともに、棒状に形作られている。導光棒本体１１の外周面の一部には複数のレンズカット（プリズム型の凸部）１２が形成され、それらレンズカット１２が導光棒本体１１の軸方向に沿って配列されている。導光棒本体１１の端面１３は光を取り込む入射面である。その端面１３によって取り込まれた光は、導光棒本体１１の外周面による全反射を繰り返しながら、導光棒本体１１によって反対側の端面に向けて導光される。ガイドされる光がレンズカット１２によって反射されることによって、導光棒本体１１の外周面のうちレンズカット１２の反対側に入射する光のうち臨界角未満で入射する成分が増える。そのため、導光棒本体１１の外周面のうちレンズカット１２の反対側から導光棒本体１１の外部へ光が出射する。
【００２０】
抜け止め１５，１６は導光棒本体１１の外周面から径方向外方へ突出する。抜け止め１５，１６は端面１３に寄っていて、導光棒本体１１の外周面のうち端面１３近傍に配置されている。第一抜け止め１５の軸方向（軸方向とは導光棒本体１１の中心線に沿う方向）の位置と第二抜け止め１６の軸方向の位置が揃っており、抜け止め１５，１６が導光棒本体１１の軸方向に直交する同一平面上に配置されている。抜け止め１５，１６は導光棒本体１１の周方向に沿って離れている。
【００２１】
導光棒本体１１が保持孔３４に差し込まれている。より具体的には、導光棒本体１１の端面１３寄りの部分が保持孔３４に差し込まれ、導光棒本体１１の端面１３が発光素子６１に対向する。導光棒本体１１の外周面が保持孔３４の内周面に接触し、導光棒本体１１が保持孔３４に保持されている。つまり、導光棒本体１１の径方向荷重が保持孔３４の内周面に受けられている。
【００２２】
抜け止め１５，１６は保持孔３４の縁から径方向外方へ突き出ている。そして、抜け止め１５，１６は、保持孔３４の周囲においてブラケット本体３１に引っ掛かっている。より具体的には、抜け止め１５，１６が上板３３の上面に引っ掛かる。導光棒本体１１の軸方向（特に、端面１３から反対の端面に向かう向き）の荷重がブラケット本体３１に受けられる。これにより、導光棒本体１１が保持孔３４から端面１３の反対側の端面の方へ抜けることが抜け止め１５，１６によって防止されている。
【００２３】
抜け止め１５，１６が周方向に沿って第一ストッパ３７と第二ストッパ３８との間に配置されている。そして、第一抜け止め１５と第一ストッパ３７が周方向に隣接して、第一抜け止め１５が第一ストッパ３７の時計回り側に配置されている。第一抜け止め１５と第一ストッパ３７が当接する。これにより、導光棒本体１１の反時計回りの荷重が第一ストッパ３７に受けられ、導光棒本体１１が反時計回りの回転が第一ストッパ３７によって止められている。
【００２４】
第二抜け止め１６と第二ストッパ３８が周方向に隣接し、第二抜け止め１６が第二ストッパ３８の反時計回り側に配置されている。第二抜け止め１６が第二ストッパ３８に当接する。これにより、導光棒本体１１の時計回りの荷重が第二ストッパ３８に受けられ、導光棒本体１１の時計回りの回転が第二ストッパ３８によって止められている。
【００２５】
ブラケット本体３１の上板３３の上面が重力の働く方向の反対に向いていれば、導光棒本体１１の荷重が上板３３に支えられる。
【００２６】
組立灯具１の製造方法について説明する。
導光棒１０、ブラケット本体３１及び光源モジュール６０を準備する。例えば、導光棒１０を射出成形法によって成形し、ブラケット本体３１も射出成形法によって成形し、基板６２に発光素子６１を表面実装する。
【００２７】
光源モジュール６０をブラケット３０に組み付ける。つまり、基板６２をブラケット本体３１の上面に対向させてその上面に近づけ、位置決め突起３２，３２をそれぞれ位置決め穴６３，６３に挿入する。そして、締結ネジ６５，６５を通孔６４，６４に通して、締結ネジ６５，６５を締めて、締結ネジ６５，６５によって基板６２をブラケット本体３１の上面に締結する。これにより、発光素子６１を保持孔３４の中心に合わせる。
【００２８】
次に、導光棒本体１１の端面１３を保持孔３４に向けて、保持孔３４を通じて導光棒本体１１の端面１３を発光素子６１に対向させる。更に、抜け止め１５，１６をノッチ３５，３６にそれぞれ合わせる。そして、導光棒本体１１を保持孔３４に差し込むとともに、抜け止め１５，１６をノッチ３５，３６にそれぞれ差し込む。差し込む向きは、上板３３の下面から上面に向かう向きである。
そして、導光棒本体１１を保持孔３４から上板３３の上側へ突き出し、抜け止め１５，１６にノッチ３５，３６を通過させる。
【００２９】
次に、導光棒本体１１を時計回りに回転させる。導光棒本体１１を時計回りに回転させることによって、第一抜け止め１５に第一ストッパ３７を乗り越えさせ、第一抜け止め１５を第一ストッパ３７の時計回り側に配置させる。第一抜け止め１５が第一ストッパ３７を乗り越えると、第二抜け止め１６が第二ストッパ３８に当接する。第二抜け止め１６が第二ストッパ３８に当たることによって、導光棒本体１１の時計回りの回転が止められ、第一抜け止め１５が第一ストッパ３７に当接することによって、導光棒本体１１の反時計回りの回転が止められる。
【００３０】
図４を参照して、組立灯具１を用いた車両用灯具９０について説明する。図４は車両用灯具９０の斜視図である。
この車両用灯具９０が複合灯具（コンビネーションランプ）であり、組立灯具１が他の灯具と組み合わせて車両用灯具９０に設けられる。例えば車両用灯具９０がコンビネーションヘッドランプである場合、車両用灯具９０に走行用前照灯、すれ違い用前照灯、車幅灯及び方向指示灯が設けられ、組立灯具１は走行用前照灯、すれ違い用前照灯、車幅灯及び方向指示灯の何れかである。車両用灯具９０がリアコンビネーションランプである場合、車両用灯具９０に尾灯、制動灯、方向指示灯及び後退灯が設けられ、組立灯具１が尾灯、制動灯、方向指示灯及び後退灯の何れかである。組立灯具１が信号灯であることが好ましい。
【００３１】
図４に示すように、車両用灯具９０のハウジング９１が中空を有する箱形に設けられ、そのハウジング９１の前面が開口する。そのハウジング９１の前面開口が素通しのアウターレンズ（透明カバー）９２によって塞がれ、そのアウターレンズ９２の周縁部がハウジング９１の前端面に接合されている。エクステンション９３がハウジング９１内に収容された状態でハウジング９１又はアウターレンズ９２に組み付けられている。エクステンション９３は、車両用灯具９０に内蔵された灯具の発光箇所以外の領域を後に隠すものである。
【００３２】
エクステンション９３の前面から側面にかけて溝状の凹部９４が形成されている。一方、エクステンション９３の裏側には組立灯具１のブラケット本体３１及び光源モジュール６０が配置されており、このブラケット３０がエクステンション９３又はハウジング９１に組み付けられている。凹部９４の端部に貫通孔が形成され、導光棒１０の導光棒本体１１がエクステンション９３の裏側から表側へその貫通孔に通されている。そして、導光棒本体１１が凹部９４に嵌め込まれることによって、導光棒本体１１がエクステンション９３に固定されている。凹部９４の内面がメタライズされており、その内面に鏡面が形成されている。
【００３３】
本発明の実施形態によれば、次のような効果が生じる。
（１）  光源モジュール６０と導光棒１０が同一のブラケット３０に組み付けられているので、加工誤差及び組立誤差を最小限に抑えることができる。よって、導光棒１０から出射される光の配光が設計通りの配光からずれることを防止することができる。
【００３４】
（２）  締結ネジ６５，６５によって基板６２をブラケット本体３１の側面に締結するので、光源モジュール６０を簡単にブラケット３０に組み付けることができる。また、導光棒本体１１を保持孔３４に差し込んで、導光棒本体１１を回転させるだけで、導光棒１０を簡単にブラケット３０に組み付けることができる。よって、組立灯具１の組立が簡単である。
【００３５】
本発明を適用可能な実施形態は上述した実施形態に限定されることなく、本発明の趣旨を逸脱しない範囲で適宜変更可能である。例えば、図３を鏡像変換して、上述の説明の「時計回り」を「反時計回り」に読み替えるとともに、上述の説明の「反時計回り」を「時計回り」に読み替えたものも、本明細書によって開示されたものである。
【符号の説明】
【００３６】
１  組立灯具
１０  導光棒
１１  導光棒本体
１５  第一抜け止め
１６  第二抜け止め
３０  ブラケット
３４  保持孔
３５  第一ノッチ
３６  第二ノッチ
３７  第一ストッパ
３８  第二ストッパ
６０  光源モジュール
６１  発光素子
６２  基板
【図１】
2016009606.tif 000003
【図２】
2016009606.tif 000004
【図３】
2016009606.tif 000005
【図４】
2016009606.tif 000006